(57)【要約】【課題】隔壁や柵としての機能を維持して美感を向上させ得る移動式柵を提供する。【解決手段】四角形状に形成した枠体１１に縦杆１２を格子状に配設してなる柵本体１と、支柱２１の下端に脚台部２２を設けたスタンド２とを備え、柵本体１の両側にスタンド２を着脱可能に連結して柵本体１を立設すると共に隣接する柵本体を接続する移動式柵において、柵本体１の上端部に、柵本体の一側から他側にわたり柵本体の両面を所望の幅で被覆するカバー３を装着する。カバー３は所望の色で彩色されている。【選択図】図１
0003116236.tif 000002
【実用新案登録請求の範囲】
【請求項１】
四角形状に形成した枠本体に縦杆を格子状に配設してなる柵本体と、支柱の下端に脚台部を設けたスタンドとを備え、前記柵本体の両側に前記スタンドを着脱可能に連結して前記柵本体を立設させると共に隣接する柵本体を接続する移動式柵において、
前記柵本体の上端部に、柵本体の一側から他側にわたり柵本体の両面を所望の幅で被覆するカバーが装着されていることを特徴とする、
移動式柵。
【請求項２】
前記カバーは防水加工が施されていることを特徴とする、請求項１に記載の移動式柵。
【請求項３】
前記カバーは所望の色で彩色が施されていることを特徴とする、請求項１又は２に記載の移動式柵。
【請求項４】
前記カバーの一方又は両方の表面に所望の事項が表示されていることを特徴とする、請求項１ないし３のいずれか１項に記載の移動式柵。
【請求項５】
前記カバーは前記柵本体に着脱可能に装着されていることを特徴とする、請求項１ないし４のいずれか１項に記載の移動式柵。
【考案の詳細な説明】
【技術分野】
【０００１】
本考案は、例えば道路工事や交通事故現場、或いは各種のイベント会場等における規制区域の隔壁、或いはパレード等を実施する際の人の整理用の柵（フェンス）等を形成する際等に設置して使用する移動式柵に関する。
【背景技術】
【０００２】
従来、この種の移動式柵は、一般に柵本体には自立させる手段は具備せず、柵本体の両側にスタンドを連結し、このスタンドで立設するように構成されている。また、柵本体は金属製のパイプで適当な大きさの長方形に形成した枠体に縦杆を格子状に配設してなっている（例えば、特許文献１参照）。
【０００３】
移動式柵は所要時に、工事現場や交通事故現場、或いは各種のイベント会場やパレードを実施する沿道、その他の目的の場所等に所要数の柵本体を接続して立設して使用されている。
【０００４】
ところで、移動式柵には、例えば所轄警察署名その他の事項等を表示することがあるが、従来の柵本体は前記事項等を表示できるスペース等を具備していない。そのため、従来は所轄警察署名その他の事項等を表示した看板等を柵本体に吊り下げる等により取り付ける方法を一般に採用している。
【０００５】
しかるに、柵本体に前記看板等を吊り下げて取り付ける方法は作業に手間が掛ると共に外観を損なう問題を有している。また、従来の柵本体は専ら隔壁や柵（フェンス）等としての機能的目的の面にのみ重点をおいて構成され、美感については考慮を欠いている面を有していた。
【特許文献１】実用新案登録第３０６９４９８号公報
【考案の開示】
【考案が解決しようとする課題】
【０００６】
本考案は前記のような実情に鑑み、隔壁や柵（フェンス）としての機能を維持して美感を向上させ得る移動式柵を提供することを目的とするものである。
【課題を解決するための手段】
【０００７】
前記目的を達成するため、本考案は、四角形状に形成した枠本体に縦杆を格子状に配設してなる柵本体と、支柱の下端に脚台部を設けたスタンドとを備え、前記柵本体の両側に前記スタンドを着脱可能に連結して前記柵本体を立設させると共に隣接する柵本体を接続する移動式柵において、前記柵本体の上端部に、柵本体の一側から他側にわたり柵本体の両面を所望の幅で被覆するカバーが装着されていることを特徴とする。
【０００８】
本考案の移動式柵は、従来と同様に道路工事や交通事故現場、或いは各種のイベント等の会場やパレードを実施する沿道、その他の目的の場所等に所要数の柵本体を接続して立設して使用される。これにより、隔壁や柵（フェンス）等としての機能を発揮する。また、柵本体の上端部にはカバーが装着されているので、従来例の柵本体に比べて美感を向上する。さらにまた、カバーに所望の文字その他の事項を表示でこるので、従来例のように看板等を柵本体に吊り下げて取り付けることを省略することができる。
【０００９】
本考案において、前記カバーは防水加工を施したカバーを採用することができる。また、前記カバーは所望の色で彩色した構成を採用することもできる。
【００１０】
本考案においては、前記カバーの一方又は両方の表面に所望の文字その他の事項を任意の手段で表示する構成を採用することができる。また、前記カバーは柵本体に着脱可能に装着する構成を採用することもできる。
【考案の効果】
【００１１】
本考案によれば、目的の場所等に所要数の柵本体を接続して立設することにより、隔壁や柵（フェンス）等の機能を充分発揮すると共に柵本体の上端部にはカバーが装着してあるので、美感（意匠美）を向上し得る移動式柵を提供することができる。
【考案を実施するための最良の形態】
【００１２】
以下、図面を参照して本考案の実施の形態の一例を説明する。
【００１３】
図１は本考案の移動式柵の一実施の形態を示す斜視図、図２は同上柵の柵本体とスタンドの一部を拡大して示す説明図、図３は同上柵の柵本体とスタンドとを連結した状態を拡大して示す横断面図、図４は同上柵の柵本体を示す図であって、同図（ａ）はカバーを装着する前の状態を示す正面図、同図（ｂ）はカバーを装着した状態を示す正面図、同図（ｃ）は同図（ａ）のＡ−Ａ線で切断し、一部を拡大して示す断面図、図５は柵本体に装着するカバーを示す図であって、同図（ａ）は下端側から見た斜視図、同図（ｂ）は同図（ａ）のＢ−Ｂ線で切断し、一部を拡大して示す断面図、図６は同上柵本体を接続して立設した状態を示す斜視図である。
【００１４】
上記図１〜図６において、この実施の形態の移動式柵は、柵本体１と、この柵本体１の両側に着脱可能に連結して柵本体１を立設させると共に隣接する柵本体１を接続するスタンド２、及び柵本体１の上端部に装着されるカバー３とを備えている。
【００１５】
前記柵本体１は金属製等のパイプで適当な大きさの長方形状等の四角形状（例えば、縦約９００ミリ×横約１６００ミリ、但し、この寸法は任意に変更可能）に形成した枠体１１に所定長さの金属製等のパイプ等で形成した任意数の縦杆１２を適当な間隔を存して格子状に配設して構成されている。この柵本体１の前記構成自体については従来公知のものと同様に構成されている。
【００１６】
前記スタンド２は適当な長さの金属製等のパイプよりなる支柱２１の下端に一対の脚杆２２ａ，２２ｂで二股状に形成した金属製等のパイプよりなる脚台部２２を固設してなっている。脚台部２２の両脚杆２２ａ，２２ｂの下端にはゴム材等よりなる防滑用の台部材２３が嵌合して設けてある。
【００１７】
前記スタンド２は支柱２１の上端部側に、前記二股状の脚台部２２と直交する方向に向けると共に支柱２１を挟んで左右対称に設けた一対の上部側の連結用受け金具２４と、この受け金具２４と対応させて支柱２１の下端部側に設けた一対の下部側の連結用受け金具２５を有している。
【００１８】
前記柵本体１は、枠体１１の両側に前記上部側及び下部側の受け金具２４及び２５と対応させて左右対称に設けた連結用嵌合金具１３及び１４を有している。
【００１９】
この実施の形態の前記受け金具２４及び２５は丸棒又は丸パイプ材（図示では丸パイプ材）をＬ字形に折曲して鉛直部と水平部とを形成し、水平部の先端を支柱２１に溶接等で固着して構成されている。また、前記各嵌合金具１３及び１４は前記受け金具２４，２５の鉛直部に嵌合する円筒体で形成され、この円筒体を柵本体１の枠体１１に溶接等で固着１５（図３参照）して構成されている。
【００２０】
この実施の形態の移動式柵は、柵本体１の両側の各嵌合金具１３及び１４をスタンド２の各受け金具２４，２５の鉛直部に嵌合し、柵本体１を両側のスタンド２で支持させて立設させると共に隣接する柵本体１を接続して使用される。なお、柵本体１の前記各嵌合金具１３，１４及びスタンド２の前記各受け金具２４，２５は一例として開示したもので、図示以外の任意の構成に適宜変更可能なものである。
【００２１】
前記カバー３は、柵本体１の一側から他側にわたり柵本体１の両面を適当な幅（例えば、約１０ｃｍ〜約２０ｃｍ）で被覆する大きさに形成され、柵本体１の上端部に装着されている。なお、カバー３の幅は上記した範囲に限定するものではない。カバー３の構成素材は特に限定されるものではないが、防水性を付与することが好ましい。
【００２２】
この実施の形態のカバー３は、図５に最も詳細に示すように、合成繊維等の繊維で織成した生地３１ａの一方の面にポリ塩化ビニル等の樹脂をコーティングしてコーティング層３１ｂを形成した防水性のシート材３１を採用している。そして、前記シート材３１を素材として、コーティング層３１ｂ側を外側面に位置させて一端を開口３２した所定の大きさの袋状体３３で構成してある。そして、カバー３は柵本体１の上端部に被嵌して着脱可能に装着されている。なお、カバー３に防水性を付与する手段は上記以外の方法を採用できること勿論である。また、所望に応じ、カバー３の適当部を接着等により柵本体１の適当部に固着してもよい。
【００２３】
実施の形態のカバー３は表面全体を青色系，赤色系その他任意の所望の色で彩色されている。彩色する手段は任意の方法を採用する。この場合、所望色の蛍光染料や蛍光塗料で着色（彩色）する方法を採用してもよい。
【００２４】
前記カバー３の一方又は両方の表面には、所望に応じて所轄警察署名等の文字、或いはその他の所望の文字等の事項（図示せず）を印刷その他の手段で表示してある。
【００２５】
実施の形態の移動式柵は上記のように構成し、柵本体１の両側の各嵌合金具１３，１４をスタンド２の各受け金具２４，２５にそれぞれ嵌合して所要数の柵本体を接続し、道路工事や交通事故現場、或いは沿道や各種イベント等の会場その他の任意の目的の場所に立設して設置して使用される。
【００２６】
なお、実施の形態のカバー３は、前記生地３１ａの一方の面に樹脂のコーティング層３１ｂを形成した防水性のシート材３１で構成した例を開示したが、カバー３の素材は上記に限定するものではない。例えば、ポリ塩化ビニルその他の軟質のプラスチック製のシート材でカバーを構成してもよい。この構成のカバーを採用すると、カバーの生産コストが安くなる。
【００２７】
また、上記した実施の形態は一例として開示したもので、本考案は上記の実施の形態に限定されるものではなく、実用新案登録請求の範囲に記載の技術思想を越脱しない範囲内において任意に変更可能なものである。
【図面の簡単な説明】
【００２８】
【図１】本考案の移動式柵の一実施の形態を示す斜視図である。
【図２】同上柵の柵本体とスタンドの一部を拡大して示す説明図である。
【図３】同上柵の柵本体とスタンドとを連結した状態を拡大して示す横断面図である。
【図４】同上柵の柵本体を示す図であって、同図（ａ）はカバーを装着する前の状態を示す正面図、同図（ｂ）はカバーを装着した状態を示す正面図、同図（ｃ）は同図（ａ）のＡ−Ａ線で切断し、一部を拡大して示す断面図である。
【図５】同上柵本体に装着するカバーを示す図であって、同図（ａ）は下端側から見た斜視図、同図（ｂ）は同図（ａ）のＢ−Ｂ線で切断し、一部を拡大して示す断面図である。
【図６】同上柵本体を接続して立設した状態を示す斜視図である。
【符号の説明】
【００２９】
１      柵本体
２      スタンド
３      カバー
１１    枠体
１２    縦杆
２１    支柱
２２    脚台部
【図１】
0003116236.tif 000003
【図２】
0003116236.tif 000004
【図３】
0003116236.tif 000005
【図４】
0003116236.tif 000006
【図５】
0003116236.tif 000007
【図６】
0003116236.tif 000008